(57)【要約】【課題】  電源を必要とすることなく、簡易な構造で、内部温度等の雰囲気を調節できるようにする。【解決手段】  苗１を覆う透光性のカバー本体２の上面２ａに換気部３を設ける。この換気部３を、カバー本体２の上面２ａに開口されている換気用の口４を開閉する弁部材５と、この弁部材５の動作装置６とで形成する。この動作装置６は、太陽光の熱エネルギーで変形して弁部材５を動作させる形状記憶合金部材６ａを備える。この形状記憶合金部材６ａを、カバー本体２の上面２ａに起立状に形成している透明状のケース７に収納する。【選択図】      図１
2014227959.tif 000002
【特許請求の範囲】
【請求項１】
苗を覆う透光性のカバー本体の上面に換気部が設けられているカバーであって、上記の換気部が、カバー本体の上面に開口されている換気用の口を開閉する弁部材と、この弁部材の動作装置とで形成され、この動作装置が太陽光の熱エネルギーで変形して弁部材を動作させる形状記憶合金部材を備えて形成され、この形状記憶合金部材がカバー本体の上面に起立状に形成されている透明状のケースに収納されていることを特徴とする太陽熱利用の苗カバー。
【請求項２】
請求項１記載の太陽熱利用の苗カバーであって、弁部材がカバー本体の内部に配置され、換気用の口が形状記憶合金部材を収納したケースの周りに形成されていることを特徴とする太陽熱利用の苗カバー。
【請求項３】
請求項２記載の太陽熱利用の苗カバーであって、カバー本体の上面が水平に形成され、形状記憶合金部材がコイルバネであり、このコイルバネの伸縮に伴って上下動する心棒の下端に弁部材が水平状に設けられていることを特徴とする太陽熱利用の苗カバー。
【請求項４】
請求項１乃至３の何れかに記載の太陽熱利用の苗カバーであって、ケースが角形に形成され、このケースの一側面の外面が反射質に形成されていることを特徴とする太陽熱利用の苗カバー。
【請求項５】
請求項４記載の太陽熱利用の苗カバーであって、外面が反射質に形成されているケースの一側面と、この一側面と鉤形に隣り合う側面との二側面の内側が黒色に形成されていることを特徴とする太陽熱利用の苗カバー。
【発明の詳細な説明】
【技術分野】
【０００１】
本発明は、作物の苗を育てるのに使用するカバーに関し、更に詳しくは太陽熱を利用して苗の生育環境をコントロールできるよう形成した太陽熱利用の苗カバーに関するものである。
【背景技術】
【０００２】
従来、この種のカバーとしては、例えば透明のプラスチックシートでキャップ状に形成したものが知られている（特許文献１参照）。
この従来品は、キャップの上端に通気孔が開口可能に形成され、この孔を介して換気できるよう形成されている。
【０００３】
特許文献１の従来品は、設置が簡単で、苗ごと被せることができ、趣味での園芸等、小規模での使用に適する。また、気温の上昇時は、通気孔をあけることで、内部の高温化を抑えることができる。
【０００４】
ところで、例えば３月〜５月頃や、季節の変わり目には、大気が不安定になり、温度が急激に低下したり、霜が降ることがある。このようなとき、従来品は、通気孔から寒気や霜が浸入したから、従来品を使用すると、苗の健全な生育を損なうことがあった。
換言すると、従来品は、保温や換気機能を有するものの、カバー内の雰囲気を、適切に調節することができない、という問題点があった。
【０００５】
而して、苗の生育環境をコントロールするため、電源を利用すると、電気代がかかる、という問題が生じる。またこの場合は、カバーの構造が複雑になり、家庭菜園等で手軽に使用するには不向きである。
【先行技術文献】
【特許文献】
【０００６】
【特許文献１】実用新案登録第３１５３７５６号公報
【発明の概要】
【発明が解決しようとする課題】
【０００７】
本発明は、このような従来技術の問題点に鑑み、提案されたものである。
従って本発明の解決しようとする技術的課題は、電源を必要とすることなく、簡易な構造で、内部温度等の雰囲気を調節できるよう形成した太陽熱利用の苗カバーを提供することにある。
【課題を解決するための手段】
【０００８】
本発明は、上記の課題を解決するため、次のような技術的手段を採る。
【０００９】
即ち本発明は、図１等に示されるように、苗１を覆う透光性のカバー本体２の上面２ａに換気部３が設けられているカバーであって、上記の換気部３が、カバー本体２の上面２ａに開口されている換気用の口４を開閉する弁部材５と、この弁部材５の動作装置６とで形成され、この動作装置６が太陽光の熱エネルギーで変形して弁部材５を動作させる形状記憶合金部材６ａを備えて形成され、この形状記憶合金部材６ａがカバー本体２の上面２ａに起立状に形成されている透明状のケース７に収納されていることを特徴とする（請求項１）。
【００１０】
而して、この場合、本発明は、図１等に示されるように、弁部材５がカバー本体２の内部に配置され、換気用の口４が形状記憶合金部材６ａを収納したケース７の周りに形成されているのが好ましい（請求項２）。
【００１１】
なぜならこれによると、弁部材５が外部から衝撃を受けて壊れることを防止できるからである。またこれによると、換気用の口４に、枯れ枝等のゴミが載っていても、ごみの影響を受けることなく確実に閉塞できるからである。またこの場合は、換気用の口４がケース７の周りに形成されているから、ケース７を中心に、その周りからバランス良く換気することができるからである。
【００１２】
またこの場合、本発明は、カバー本体２の上面２ａが水平に形成され、形状記憶合金部材６ａがコイルバネであり、このコイルバネの伸縮に伴って上下動する心棒６ｂの下端に弁部材５が水平状に設けられているのが好ましい（請求項３）。
【００１３】
本発明は、弁部材５が、ヒンジを介して上下方向に回動可能に形成されるのでも良い。しかし、この本発明のように形成される場合は、ヒンジ等の部品を省略でき、簡易な構成で弁部材５を、迅速且つ円滑に動作させて換気用の口４を開閉できるものである。
【００１４】
また本発明は、図５に示されるように、ケース７が角形に形成され、このケース７の一側面７ａの外面が反射質に形成されているのが好ましい（請求項４）。
【００１５】
なぜならこれによると、反射質の外面を、西側に向けて本発明品を設置することにより、西日を反射させ、陽が傾いたら迅速に換気用の口４を閉じ、夕方からの気温が急激に低下することによる苗１への悪影響を防止できるからである。
【００１６】
またこの場合、本発明は、外面が反射質に形成されているケース７の一側面７ａと、この一側面７ａと鉤形に隣り合う側面７ｂとの二側面の内側が黒色に形成されているのが好ましい（請求項５）。
【００１７】
なぜならこの場合は、ケース７の内側が黒色の面を、東側と南側に向けて本発明品を設置することにより、東側と南側からの太陽光の熱エネルギーを吸収し、これを形状記憶合金部材６ａに加えることができ、太陽光の熱エネルギーをフルに活用できるからである。
【発明の効果】
【００１８】
本発明は、このように太陽熱を利用して弁部材を動作させ、換気用の口を開閉する構造である。従って、これによれば、電源が不要であるから、電源設備のない畑等でも使用でき、電気代を一掃できる。また本発明は、構造が簡易であるから、安価に提供できる。
【００１９】
また本発明は、弁部材を動作させる形状記憶合金部材を収納したケースが、カバー本体の上面に起立状に設けられている。
従って本発明は、カバー本体内の温度に左右されることがない。それ故、これによれば、光合成し易い雰囲気を、迅速且つ確実に作り出すことができる。
【図面の簡単な説明】
【００２０】
【図１】本発明の苗カバーの好適な一実施形態を示す縦断面図である。
【図２】同上苗カバーの要部平面図である。
【図３】図２のＩＩＩ−ＩＩＩ線における断面図である。
【図４】同上苗カバーの要部断面図である。
【図５】図４のＶ−Ｖ線から見た説明用の要部断面図である。
【図６】同上苗カバーの換気の時点を説明するためのグラフである。
【図７】同上苗カバーの他の実施形態を示す縦断面図である。
【図８】同上苗カバーの他の実施形態を示す斜視図である。
【図９】図８の苗カバーの使用例を説明するための斜視図である。
【図１０】同上苗カバーの更に他の実施形態を示す斜視図である。
【図１１】図１０の苗カバーの使用例を説明するための斜視図である。
【発明を実施するための形態】
【００２１】
以下、本発明の好適な一実施形態を、添付図面に従って説明する。
本発明のカバーは、図１等に示されるように、苗１を覆う透光性のカバー本体２の上面２ａに、換気部３が設けられている。カバー本体２の形状は自由であるが、この実施形態ではボックス形に形成されている。またカバー本体２は、透明のアクリル樹脂で、断熱用の空気層２ｂを備えて二層状に形成されている。
【００２２】
上記の換気部３は、カバー本体２の上面２ａに開口されている換気用の口４を開閉する弁部材５と、この弁部材５の動作装置６とで形成されている。この実施形態の場合、弁部材５は、カバー本体２の内部に配置されている。また動作装置６は、太陽光の熱エネルギーで変形して弁部材５を動作させる形状記憶合金部材６ａを備えて形成されている。
【００２３】
形状記憶合金部材６ａは、設定温度ａ（この実施形態では２５℃、図６参照）で最大に伸張し、設定温度ｂ（この実施形態では２０℃）で収縮するコイルバネである。この形状記憶合金部材６ａとしてのコイルバネは、カバー本体２の上面２ａに起立状に形成されている透明状のケース７に収納されている。
【００２４】
また形状記憶合金部材６ａとしてのコイルバネは、心棒６ｂに外装されている。弁部材５は、この心棒６ｂの下端に水平状に設けられている。心棒６ｂには金属製の鍔６ｃが固定され、コイルバネは、この鍔６ｃと、ケース７内の上部に水平に固定されているバネ取付板６ｄとの間に設けられている。
【００２５】
また心棒６ｂは、バネ取付板６ｄに通され、このバネ取付板６ｄを介して上下動可能に設けられている。
なお、心棒６ｂ、鍔６ｃ、バネ取付板６ｄは、太陽光の熱エネルギーを吸収し易くなるよう、この実施形態では黒色に着色されている。
【００２６】
また動作装置６は、形状記憶合金部材６ａとしてのコイルバネと共に、ステンレス製のバネ６ｅを備えて形成されている。このバネ６ｅは、コイル状に形成され、心棒６ｂに外装されて鍔６ｃとケース７の底との間に設けられている。
なお、この実施形態では、形状記憶合金部材６ａとしてのコイルバネと、ステンレス製のバネ６ｅは、太陽光の熱エネルギーを吸収し易くなるよう、黒色に着色されている。
【００２７】
またケース７は、角形に形成されている。この実施形態の場合、ケース７は、縦向きの直方体状に形成され、寸法は縦３０（ｍｍ）、横３０（ｍｍ）、高さ６０（ｍｍ）に選定されている。またケース７は、その各側面が、ボックス形のカバー本体２の側面と平行になるよう位置決めされて、カバー本体２の上面２ａに設けられている。
【００２８】
この実施形態の場合、ケース７の一側面７ａ（図５参照）の外面は、例えば白色等に着色され、反射質に形成されている。
なお、ケース７は、動作装置６が湿気で悪影響をうけることがないよう、上部側面に通気孔８が形成されている。
【００２９】
またカバー本体２の上面２ａは、水平に形成され、換気用の口４は、ケース７の周りに形成されている。換気用の口４は、この実施形態ではゴミ除けのフィルター９で覆われ、ケース７は、このフィルター９で支持されている。
【００３０】
またこの実施形態の本発明は、外面が反射質に形成されているケース７の一側面７ａと、この一側面７ａと鉤形に隣り合う側面７ｂとの二側面の内側が黒色に形成されている。具体的には、横断面形状が鉤形の黒色の金属板１０（図５参照）がケース７の内側面に沿って配置されることで形成されている。金属板１０は、底面も黒色に着色されている。
【００３１】
一側面７ａと、隣り合う側面７ｂとの関係は、本発明品を設置したとき、一側面７ａを西向きにすると、側面７ｂが北向きになるよう位置決めされている。上記のバネ取付板６ｄは、金属板１０に水平に固定されている。
【００３２】
次に、本発明品の使用例及び作用を説明する。
先ず、使用者は、図１等に示されるように、野菜等の苗１に本発明品を被せ、栽培地に設置する。この場合、使用者は、一側面７ａを西向きに、側面７ｂを北向きにして設置する。
【００３３】
太陽光は、図５に示されるように、日中、主としてケース７の東側及び南側の面を介してケース７内に、矢示のように入射する。この場合、この実施形態では、黒色の金属板１０が東側と南側に向けられているから、この金属板１０で東側及び南側からの太陽光が吸収され、その熱エネルギーが形状記憶合金部材６ａに加えられる。
【００３４】
そして、形状記憶合金部材６ａとしてのコイルバネの温度が上昇すると、コイルバネが、その下側のバネ６ｅの弾発力に抗してアナログ的に伸長する。その結果、心棒６ｂと共に、弁部材５が押し下げられ、換気用の口４が開かれる。
【００３５】
そして、この実施形態では、ケース７内の温度が２５℃（図６のａ点を参照）になると、弁部材５が最も低い位置まで押し下げられる。その結果、換気用の口４と弁部材５との間隔が最大になる（図３、図４の状態参照）。
【００３６】
而して、本発明の場合、換気作用は、ケース７内の温度が２５℃より高い場合は継続する。そして、午後になり、気温が徐々に下がると、温度の低下に伴って形状記憶合金部材６ａとしてのコイルバネが収縮する。
【００３７】
すると、それに連れてバネ６ｅが復元し、このバネ６ｅの復元力で鍔６ｃが押し戻される。従って、この鍔６ｃと一体化している心棒６ｂが上昇し、その結果、弁部材５が上昇する。そして、この実施形態では、ケース７内の温度が２０℃（図６のｂ点を参照）になると、換気用の口４が閉じられる（図１の状態参照）。
【００３８】
而して、この実施形態の場合、西側からの太陽光は、一側面７ａの外面で反射される。従って、本発明は、午後、陽が傾き出すと、ケース７内の温度低下が早くなり、形状記憶合金部材６ａとしてのコイルバネの収縮度合いが高まる。その結果、本発明によると、午後、換気用の口４を早めに閉塞でき、保温時間を長くできる。
【００３９】
またこの実施形態の本発明品は、透明状のカバー本体２が空気層２ｂを備え、二層構造に形成されている。従って、これによると、カバー本体２の断熱性が良くなり、内部温度の急激な低下を防止できる。
【００４０】
以上の処において、本発明は、図７に示されるように、カバー本体２内の少なくとも一側面が、例えば白色のアクリル樹脂板１１で反射面状に形成されているのでも良い。この場合は、この面を南側に向けて本発明品を設置することにより、光合成の促進等を図ることができる。
【００４１】
また本発明は、図８、図９に示されるように、プランター１２と組み合わせて使用することができるよう、形成されているのでも良い。この実施形態の本発明品は、プランター１２の側面と、これに対応するカバー本体２の側面の適宜位置に、例えば係合型の留め具１３ａ、１３ｂが設けられている。
この本発明の場合は、留め具１３ａ、１３ｂを利用して本発明品をプランター１２に固定できるから、これによると、風で飛ばされることを防止できる、という利点がある。
【００４２】
また本発明は、図１０に示されるように、側面に扉１４が設けられ、この扉１４によって側面が開閉可能に形成されているのでも良い。この実施形態では、扉１４の上部の左右に、蝶番１５が設けられ、この蝶番１５を介して扉１４が上下方向に回動可能に形成されている。
この実施形態の本発明の場合は、本発明品を地面等から取り外すことなく、扉１４を利用して水遣りや追肥を行なうことができる、という利点がある。
【００４３】
また本発明品は、図１０、図１１に示されるように、地面や、プランター１２の栽培床に固定できるよう、カバー本体２が接地片２ｃを備えて形成されているのでも良い。この接地片２ｃは、カバー本体２の下端が外側に９０度屈曲されて形成されている。接地片２ｃには、杭１６の差込孔２ｄが複数形成されている。
この本発明の場合は、地面や、プランター１２の栽培床に、本発明品を、杭１６で固定できるから、これによると、風で飛ばされることを確実に防止できる。
【符号の説明】
【００４４】
１      苗
２      カバー本体
２ａ    上面
３      換気部
４      換気用の口
５      弁部材
６      動作装置
６ａ    形状記憶合金部材
７      ケース
【図１】
2014227959.tif 000003
【図２】
2014227959.tif 000004
【図３】
2014227959.tif 000005
【図４】
2014227959.tif 000006
【図５】
2014227959.tif 000007
【図６】
2014227959.tif 000008
【図７】
2014227959.tif 000009
【図８】
2014227959.tif 000010
【図９】
2014227959.tif 000011
【図１０】
2014227959.tif 000012
【図１１】
2014227959.tif 000013